(57)【特許請求の範囲】
【請求項１】
昇降装置の下降、上昇および停止の各動作を手動で操作するように構成した手動モード昇降手段と、前記昇降装置の下降停止位置をタイマの時間値として予め設定したタイマを有して前記昇降装置の下降動作時に前記時間値の経過により自動停止するように構成したタイマモード昇降手段と、前記タイマの時間値が０であるとき前記手動モード昇降手段を動作可能にする制御手段とを備えた昇降装置用制御装置。
【発明の詳細な説明】
【０００１】
【発明の属する技術分野】
この発明は、照明器具の昇降装置等に適用される昇降装置用制御装置に関するものである。
【０００２】
【従来の技術】
被昇降体たとえば照明器具の昇降は、通常正逆回転モータで行なっているが、従来手動式と自動式とがある。
手動式は、スイッチなどの上昇操作手段や下降操作手段を用いて照明器具を昇降し、停止操作手段を用いて停止するものである。
【０００３】
自動式は、上昇操作手段や下降操作手段を用いて照明器具を昇降するが、停止はタイマを働かせて予め設定した一定時間過ぎると停止させたり、上昇に関しては天井に取付けられたリミットスイッチ等に照明器具が当接することにより停止するものである。
自動式は自動停止する点で手動式よりも操作性が優れている。
【０００４】
【発明が解決しようとする課題】
しかし、被昇降体の下降にタイマを用いた自動式の昇降装置用制御装置は、タイマを設定しなければ下降動作をしないため、昇降装置を設置後はじめて照明器具を下降する場合でもタイマを設定する必要があり、使い勝手が悪いという欠点があった。
【０００５】
したがって、この発明の目的は、昇降装置を設置後初めて下降させる場合にタイマを設定しなくても下降動作をすることができる昇降装置用制御装置を提供することである。
【０００６】
【課題を解決するための手段】
請求項１記載の昇降装置用制御装置は、昇降装置の下降、上昇および停止の各動作を手動で操作するように構成した手動モード昇降手段と、前記昇降装置の下降停止位置をタイマの時間値として予め設定したタイマを有して前記昇降装置の下降動作時に前記時間値の経過により自動停止するように構成したタイマモード昇降手段と、前記タイマの時間値が０であるとき前記手動モード昇降手段を動作可能にする制御手段とを備えたものである。
【０００７】
請求項１記載の昇降装置用制御装置によれば、タイマモード昇降手段のタイマの時間値が未設定のときに、制御手段により手動モータ昇降手段が動作可能となるので、施工時の操作でタイマの下降時間を設定しなくても出荷状態で下降動作することができ、タイマの時間値を設定する手間が省けて使い勝手を向上することができる。
【０００８】
【発明の実施の形態】
この発明の一実施の形態を図１から図５により説明する。すなわち、この昇降装置用制御装置は、手動モード昇降手段と、タイマモード昇降手段と、制御手段とを有する。
まず昇降装置について説明する。図２（ａ）は天井１に固定部２が固定され、固定部２に例えばワイヤ等のロープ４により被昇降体３である例えば照明器具を吊持して下降操作により下降を始めた状態である。図２（ｂ）は被昇降体３が下降して停止した状態である。タイマを用いて自動停止する場合には下降距離すなわち下降時間がタイマの設定時間に対応する。図２（ｃ）は照明器具３が上昇して停止した状態である。
【０００９】
図３は昇降装置の概略構成を示し、５は正逆回転モータ、６は正逆回転モータ５に連結されロープ４の端部を巻付けたドラム、７は正逆回転モータ５の手動モード昇降手段、タイマモード昇降手段および制御手段を含む制御装置、８は操作装置である。すなわち、操作装置８の上昇操作および下降操作により制御装置７を介してモータ５を正または逆に回転させる。
【００１０】
図４は手動モード昇降手段を概説するモータ制御回路である。この手動モード昇降手段は、昇降装置の下降、上昇および停止の各動作を手動で操作するように構成しており、図４はその具体回路例である。ＡＣは電源、Ｂはブレーカ、ＷＬは電源表示ランプ、Ｍはモータ５、ＳＷは操作装置８を示している。操作装置ＳＷを接点Ｓ1 側にすると、モータＭが一方向に回転し、被昇降体３が例えば上昇する。操作装置ＳＷを接点Ｓ2 に切り換えるとモータＭが反対方向に回転し、被昇降体３が下降する。いずれの場合も操作装置ＳＷを接点Ｓ3 に手動操作すると停止する。
【００１１】
図５はタイマモード昇降手段を概説するモータ制御回路である。このタイマモード昇降手段は、昇降装置３の下降停止位置をタイマの時間値として予め設定したタイマを有して昇降装置の下降動作時に時間値の経過により自動停止するように構成している。図５はその具体回路例である。Ｔ1 、Ｔ2 はタイマ、ｔ1 、ｔ2 はタイマＴ1 、Ｔ2 の時間値が０以外の数値に設定されているときはタイマＴ1 、Ｔ2 に電圧が印加されると設定時間オン動作となり、時間値が０（未設定）のときはオン動作とならないタイマ接点である。その他は図４の符号と同様である。操作装置ＳＷを接点Ｓ1 側にすると、タイマＴ1 に電圧が印加され、タイマＴ1 の予め設定した時間値の時間だけ接点ｔ1 がオンとなり、その間モータＭが一方向に回転して照明器具３が例えば上昇し、その後モータＭが停止する。また操作装置ＳＷを接点Ｓ2 側にすると、タイマＴ2 に電圧が印加され、タイマＴ2 の予め設定した時間値の時間だけ接点ｔ2 がオンとなり、その間モータＭが反対方向に回転して照明器具３が下降し、その後モータＭが停止する。
【００１２】
制御手段はタイマの時間値が０であるとき手動モード昇降手段を動作可能にするものであり、例えば手動モード昇降手段とタイマモード昇降手段を切り換えるものである。具体的にはタイマ接点ｔ1 、ｔ2 を短絡する回路をスイッチング手段を介して接点ｔ1 、ｔ2 に並列に接続し、スイッチング手段を切り換える手段を設けることなどにより達成される。また図４および図５は手動モード昇降手段またはタイマモード昇降手段の動作を原理的に説明するためのものであり、具体的には操作装置ＳＷ、タイマＴ1 、Ｔ2 等をコンピュータによる制御が可能となるように電子回路により構成することができる。
【００１３】
図１は、制御手段の制御フロー図である。この制御フローは１sec 周期でスタートを開始し、ステップＳＴ1 で手動モードか否かを判断し、ＹＥＳであればエンドとなり、ＮＯであればステップＳＴ2 で下降中か否かを判断し、ＹＥＳであればステップＳＴ4 でタイマモードか否かを判断しＹＥＳであればステップＳＴ5 でタイマ設定値が０か否かを判断し、ＹＥＳであればカウンタ処理をしないでエンドとする。ステップＳＴ5 でＮＯであればステップ６のカウンタ処理を行なう。カウンタ処理はタイマの設定時間をカウントし、カウント数が設定値になると予め設定したタイマ時間が経過したものとしてモータ回路を開いてモータＭを停止させる。さらにステップＳＴ2 でＮＯのときステップＳＴ3 で上昇中か否かを判断しＹＥＳであれは、ＳＴ7 でタイマ設定値が０か否かを判断し、ＮＯならステップＳＴ8 のカウンタ処理を行い、ＹＥＳならカウンタ処理をしない。ステップＳＴ5 、ＳＴ7 でカウンタ処理をしない場合にはマニュアル動作を行なうものとする。
【００１４】
すなわち、タイマ設定値が設定されてないとき（タイマ設定値＝０）、１ｍｓのタイマ割り込み処理内で手動モードか否かを判断して手動モードでなければ、下降中か上昇中かの判断をして、下降中でタイマモードであり、かつタイマ設定値が０であればカウンタ処理をしないようにする。また、上昇中でタイマ設定値が０であればカウンタ処理をしないようにする。カウンタ処理をしないのでマニュアル動作を行なうことになる。
【００１５】
この結果、タイマ設定が０の時自動的にマニュアル運転となり、自動停止しないで停止操作のみで停止する。したがって、施工時の操作で下降時間を設定しなくても、出荷状態で動作が可能となる。
【００１６】
【発明の効果】
請求項１記載の昇降装置用制御装置によれば、タイマモード昇降手段のタイマの時間値が未設定のときに、制御手段により手動モータ昇降手段が動作可能となるので、施工時の操作でタイマの下降時間を設定しなくても出荷状態で下降動作することができ、タイマの時間値を設定する手間が省けて使い勝手を向上することができる。
【図面の簡単な説明】
【図１】この発明の一実施の形態の制御フロー図である。
【図２】昇降装置の説明図である。
【図３】昇降装置の概略構成図である。
【図４】手動モードにおけるモータ制御回路図である。
【図５】自動モードにおけるモータ制御回路図である。
【符号の説明】
３    被昇降体
４    ロープ
５    モータ
６    ドラム
７    制御装置
【図１】
0003699268.tif 000002
【図２】
0003699268.tif 000003
【図３】
0003699268.tif 000004
【図４】
0003699268.tif 000005
【図５】
0003699268.tif 000006